(57)【要約】【課題】  耐火性を確保しつつ、良好な作業性を実現する配線ガイド、および、これを備えた電気ケーブル配線構造を提供する。【解決手段】  所定に配置された複数の野縁と、野縁に固定されると共に第１挿通孔を有する木製下地部材と、野縁に固定されると共に第２挿通孔を有する石膏ボードと、石膏ボードを挟んで木製下地部材に固定された照明と、照明に一端側が接続すると共に、他端側が第２挿通孔および第１挿通孔を介して引き出され、可燃性フィルムで被覆された電気ケーブルとを具備した電気機器取付構造を構築する際に、木製下地部材の第１挿通孔に挿入され、電気ケーブルの配線をガイドする配線スリーブ１０であって、耐火性を有する配線ガイド本体１１を備え、配線ガイド本体１１は電気ケーブルが挿通される電気ケーブル挿通孔１１ａを有する。【選択図】      図１
2006217737.tif 000002
【特許請求の範囲】
【請求項１】
所定に配置された複数の骨部材と、当該骨部材に固定されると共に第１挿通孔を有する木製下地部材と、前記複数の骨部材に固定されると共に第２挿通孔を有する耐火面部材と、前記第２挿通孔および前記第１挿通孔に挿通され、可燃性材料で被覆された電気ケーブルとを具備した電気ケーブル配線構造を構築する際に、前記木製下地部材の第１挿通孔に挿入され、前記電気ケーブルの配線をガイドする配線ガイドであって、
耐火性を有する配線ガイド本体を備え、当該配線ガイド本体は前記電気ケーブルが挿通される電気ケーブル挿通孔を有することを特徴とする配線ガイド。
【請求項２】
前記木製下地部材からの抜け出しを防止する抜出防止手段を、さらに備えたことを特徴とする請求項１に記載の配線ガイド。
【請求項３】
前記電気ケーブル挿通孔を複数備えたことを特徴とする請求項１または請求項２に記載の配線ガイド。
【請求項４】
前記配線ガイド本体は石膏系材料またはセメント系不燃材料から形成されたことを特徴とする請求項１から請求項３のいずれか１項に記載の配線ガイド。
【請求項５】
所定に配置された複数の木製骨部材と、前記木製骨部材に固定されると共に第Ａ挿通孔を有する耐火面部材と、前記第Ａ挿通孔に挿通され、可燃性材料で被覆された電気ケーブルとを具備した電気ケーブル配線構造を構築する際に、前記木製骨部材に固定され、前記電気ケーブルの配線をガイドする配線ガイドであって、
耐火性を有する配線ガイド本体を備え、当該配線ガイド本体は前記電気ケーブルが挿通される電気ケーブル挿通孔を有することを特徴とする配線ガイド。
【請求項６】
前記電気ケーブル挿通孔を複数備えたことを特徴とする請求項５に記載の配線ガイド。
【請求項７】
前記配線ガイド本体は石膏系材料またはセメント系不燃材料から形成されたことを特徴とする請求項５または請求項６に記載の配線ガイド。
【請求項８】
所定に配置された複数の骨部材と、
当該骨部材に固定されると共に第１挿通孔を有する木製下地部材と、
前記複数の骨部材に固定されると共に第２挿通孔を有する耐火面部材と、
前記第１挿通孔に挿通された、請求項１から請求項４のいずれか１項に記載の配線ガイドと、
前記電気ケーブル挿通孔に挿通され、可燃性材料で被覆された電気ケーブルと、
を備えたことを特徴とする電気ケーブル配線構造。
【請求項９】
所定に配置された複数の木製骨部材と、
前記木製骨部材に固定されると共に第Ａ挿通孔を有する耐火面部材と、
前記木製骨部材に固定された、請求項５から請求項７のいずれか１項に記載の配線ガイドと、
前記電気ケーブル挿通孔に挿通され、可燃性材料で被覆された電気ケーブルと、
を備えたことを特徴とする電気ケーブル配線構造。
【発明の詳細な説明】
【技術分野】
【０００１】
本発明は、配線ガイドおよび電気ケーブル配線構造に関する。
【背景技術】
【０００２】
従来、２×４構法（工法）や軸組み構法などで構築された木造建築物の天井に、照明を取り付ける場合、照明周りの耐火性を高めるため、照明に接続する電気ケーブルと、天井を構成する天井根太や野縁などの木部（下地材）とを、所定間隔（例えば３０ｍｍ）にて離していた（非特許文献１参照）。
この他、木部に所定厚さ（例えば１２．５ｍｍ以上）の耐火用の石膏ボードを取り付け、この石膏ボードに前記電気ケーブルをステープルなどで固定し、耐火性を高めていた（非特許文献１参照）。
【非特許文献１】枠組壁工法による木質複合建築物  設計の手引き編集委員会編集、「２００４年  枠組壁工法・木質複合建築物の設計の手引き」、社団法人日本ツーバイフォー建築協会発行、２００４年７月、ｐ．８４、ｐ．８７、ｐ．１１７〜ｐ．１１８
【発明の開示】
【発明が解決しようとする課題】
【０００３】
ところで、一般に、照明を設置する際、天井用の石膏ボードを取り付け、その石膏ボードの挿通孔から電気ケーブルを適宜な長さで引き出した後、引き出した電気ケーブルと照明とを電気的に接続し、照明を天井用の石膏ボードに当接すると共に電気ケーブルを天井側に戻すという作業が行われる。
したがって、前記したように電気ケーブルがステープルによって固定されていると、電気ケーブルが天井側にスムーズに送り込めず、作業性が悪いという問題があった。また、電気ケーブルがステープルで固定されていると、電気ケーブルを天井側に送り込む際に、電気ケーブルが撓んでしまい、その撓んだ部分が木部に近接してしまう場合もあった。
【０００４】
そこで、本発明は、耐火性を確保しつつ、良好な作業性を実現する配線ガイド、および、これを備えた電気ケーブル配線構造を提供することを課題とする。
【課題を解決するための手段】
【０００５】
前記課題を解決するための手段として、請求項１に係る発明は、所定に配置された複数の骨部材と、当該骨部材に固定されると共に第１挿通孔を有する木製下地部材と、前記複数の骨部材に固定されると共に第２挿通孔を有する耐火面部材と、前記第２挿通孔および前記第１挿通孔に挿通され、可燃性材料で被覆された電気ケーブルとを具備した電気ケーブル配線構造を構築する際に、前記木製下地部材の第１挿通孔に挿入され、前記電気ケーブルの配線をガイドする配線ガイドであって、耐火性を有する配線ガイド本体を備え、当該配線ガイド本体は前記電気ケーブルが挿通される電気ケーブル挿通孔を有することを特徴とする配線ガイドである。
【０００６】
このような配線ガイドを使用して、骨部材に固定された木製下地部材の第１挿通孔に配線ガイドが挿通され、かつ、配線ガイドの電気ケーブル挿通孔に電気ケーブルが挿通された電気ケーブル配線構造を構築することによって、例えば、電気ケーブルの一端に電気機器（例えば第１実施形態に係る照明３０、図５参照）を接続した後、耐火面部材を挟んで電気機器を木製下地部材に固定する場合に、電気ケーブルを骨部材側に送り込んだとき、配線ガイドの電気ケーブル挿通孔に沿って、電気ケーブルをスムーズに送り込むことができ、作業性は良好となる。
また、配線ガイド本体は耐火性を有すると共に、電気ケーブルが配線ガイドにガイドされるため、電気ケーブルが途中で折れ曲がって木製下地部材（木部）に近接することもなく、耐火性は好適に確保される。
さらに、電気機器が固定される木製下地部材を骨部材に対して所望に配置することで、骨部材の配置に制約されることなく、電気機器の取付位置を所望に設定することができる。
【０００７】
請求項２に係る発明は、前記木製下地部材からの抜け出しを防止する抜出防止手段を、さらに備えたことを特徴とする請求項１に記載の配線ガイドである。
【０００８】
このような配線ガイドによれば、木製下地部材からの抜け出しを防止する抜出防止手段を備えたことにより、例えば、配線ガイド本体の電気ケーブル挿通孔に電気ケーブルを挿通したまま、電気ケーブルをその長手方向に移動させても、配線ガイドが木製下地部材から抜け出すことを防止できる。
【０００９】
請求項３に係る発明は、前記電気ケーブル挿通孔を複数備えたことを特徴とする請求項１または請求項２に記載の配線ガイドである。
【００１０】
このような配線ガイドによれば、複数の電気ケーブル挿通孔を備えたことにより、例えば、電気機器に接続する複数の電気ケーブルを、電気ケーブル毎にガイドすることができる。
【００１１】
請求項４に係る発明は、前記配線ガイド本体は石膏系材料またはセメント系不燃材料から形成されたことを特徴とする請求項１から請求項３のいずれか１項に記載の配線ガイドである。
【００１２】
このような配線ガイドによれば、石膏系材料またはセメント系不燃材料によって配線ガイド本体を容易かつ安価で構成することができる。
【００１３】
請求項５に係る発明は、所定に配置された複数の木製骨部材と、前記木製骨部材に固定されると共に第Ａ挿通孔を有する耐火面部材と、前記第Ａ挿通孔に挿通され、可燃性材料で被覆された電気ケーブルとを具備した電気ケーブル配線構造を構築する際に、前記木製骨部材に固定され、前記電気ケーブルの配線をガイドする配線ガイドであって、耐火性を有する配線ガイド本体を備え、当該配線ガイド本体は前記電気ケーブルが挿通される電気ケーブル挿通孔を有することを特徴とする配線ガイドである。
【００１４】
このような配線ガイドを使用して、木製骨部材に配線ガイドを適宜な手段・方法で固定し、配線ガイドの電気ケーブル挿通孔および耐火面部材の第Ａ挿通孔に電気ケーブルが挿通された電気ケーブル配線構造を構築することによって、例えば、電気ケーブルの一端に電気機器（例えば第３実施形態に係るブレーカ７２、図１０参照）を接続した後、電気ケーブルを木製骨部材側に送り込んだとき、配線ガイドの電気ケーブル挿通孔に沿って、電気ケーブルをスムーズに送り込むことができ、作業性は良好となる。
また、配線ガイド本体は耐火性を有すると共に、電気ケーブルが配線ガイドにガイドされるため、電気ケーブルが途中で折れ曲がって木製骨部材（木部）に近接することもなく、耐火性は好適に確保される。
【００１５】
請求項６に係る発明は、前記電気ケーブル挿通孔を複数備えたことを特徴とする請求項５に記載の配線ガイドである。
このような配線ガイドによれば、例えば、電気機器に接続する複数の電気ケーブルを、電気ケーブル毎にガイドすることができる。
【００１６】
請求項７に係る発明は、前記配線ガイド本体は石膏系材料またはセメント系不燃材料から形成されたことを特徴とする請求項５または請求項６に記載の配線ガイドである。
このような配線ガイドによれば、石膏系材料またはセメント系不燃材料によって配線ガイド本体を容易かつ安価で構成することができる。
【００１７】
請求項８に係る発明は、所定に配置された複数の骨部材と、当該骨部材に固定されると共に第１挿通孔を有する木製下地部材と、前記複数の骨部材に固定されると共に第２挿通孔を有する耐火面部材と、前記第１挿通孔に挿通された、請求項１から請求項４のいずれか１項に記載の配線ガイドと、前記電気ケーブル挿通孔に挿通され、可燃性材料で被覆された電気ケーブルと、を備えたことを特徴とする電気ケーブル配線構造である。
【００１８】
このような電気ケーブル配線構造によれば、例えば、電気ケーブルの一端に電気機器を接続した後、電気ケーブルを骨部材側に送り込んだとき、配線ガイドの電気ケーブル挿通孔に沿って、電気ケーブルを送り込むことができ、作業性は良好となる。すなわち、電気ケーブルが配線ガイドにガイドされるため、電気ケーブルが途中で曲がって木製下地部材に近接することもない。
【００１９】
請求項９に係る発明は、所定に配置された複数の木製骨部材と、前記木製骨部材に固定されると共に第Ａ挿通孔を有する耐火面部材と、前記木製骨部材に固定された、請求項５から請求項７のいずれか１項に記載の配線ガイドと、前記電気ケーブル挿通孔に挿通され、可燃性材料で被覆された電気ケーブルと、を備えたことを特徴とする電気ケーブル配線構造である。
【００２０】
このような電気ケーブル配線構造によれば、例えば、電気ケーブルの一端に電気機器を接続した後、電気ケーブルを木製骨部材側に送り込んだとき、配線ガイドの電気ケーブル挿通孔に沿って、電気ケーブルを送り込むことができ、作業性は良好となる。すなわち、、電気ケーブルが配線ガイドにガイドされるため、電気ケーブルが途中で曲がり、木製骨部材（木部）に近接することもない。
【発明の効果】
【００２１】
本発明によれば、耐火性を確保しつつ、良好な作業性を実現する配線ガイド、および、これを備えた電気ケーブル配線構造を提供することができる。
【発明を実施するための最良の形態】
【００２２】
以下、添付図面を参照して、本発明の実施形態について詳細に説明する。
なお、各実施形態の説明において、同一の構成要素に関しては同一の符号を付し、重複した説明は省略するものとする。
【００２３】
≪第１実施形態≫
第１実施形態に係る配線スリーブ（配線ガイド）、および、これを備えた電気ケーブル配線構造、照明（電気機器）取付構造、並びにこれらの構築方法について、図１から図５を参照して説明する。
参照する図面において、図１は、第１実施形態に係る配線スリーブの斜視図である。図２は、第１実施形態に係る配線スリーブの平面図である。図３は、第１実施形態に係る配線スリーブが取り付けられる天井構造を部分的に示す斜視図である。図４は、図３に示すＸ−Ｘ断面において、第１実施形態に係る電気ケーブル配線構造の構築方法を段階的に説明する図である。図５は、同じくＸ−Ｘ断面において、第１実施形態に係る電気機器取付構造の構築方法を段階的に説明する図であり、図５（ａ）は第１段階（第１工程）、図５（ｂ）は第２段階（第１工程）を示す。
なお、第１実施形態では、配線スリーブおよびこれを備えた電気ケーブル配線構造等を、２×４構法で構築された木造建築物の１階と２階の間の天井に適用した場合を例示し、特許請求の範囲における「骨部材」は「天井根太２２」に相当する。
【００２４】
＜配線スリーブ＞
第１実施形態に係る配線スリーブ１０（配線ガイド）について、図１および図２を主に参照して説明する。図１および図２に示すように、配線スリーブ１０はその形状が略円筒状であって、配線スリーブ本体１１（配線ガイド本体）と、配線スリーブ本体１１の外周面を被覆した抜出防止部材１２（抜出防止手段）とを主に備えている。
【００２５】
［配線スリーブ本体］
配線スリーブ本体１１は、耐火性を有する円筒体である。すなわち、配線スリーブ本体１１は、その中心軸線上に、後記する電気ケーブル４１（図４、図５参照）が挿通される電気ケーブル挿通孔１１ａを有している。
【００２６】
電気ケーブル挿通孔１１ａの内径φ１は、挿通される電気ケーブル４１（図４、図５参照）の直径よりやや大きめに設定されており（例えばφ１＝１２ｍｍ）、電気ケーブル挿通孔１１ａ内で電気ケーブル４１が長手方向に移動可能となっている。配線スリーブ本体１１の周壁１１ｂの厚さＴ１は、仮に電気ケーブル４１の外側を被覆する樹脂製の可燃性材料（図示しない）が燃焼したとしても、この燃焼による熱が配線スリーブ本体１１の外周面に伝達しない厚さに設定されている（例えばＴ１＝１５ｍｍ）。したがって、配線スリーブ本体１１の外径φ２は、電気ケーブル挿通孔１１ａの内径φ１、周壁１１ｂの厚さＴ１に従って、定められることになる（例えばφ２＝φ１＋２×Ｔ１＝４２ｍｍ）。
【００２７】
配線スリーブ本体１１の長さＬ１（配線スリーブ１０の長さと、電気ケーブル挿通孔１１ａの長さと同一）は、配線スリーブ１０が配置される木製下地部材２３（図４（ａ）参照）の第１挿通孔２３ａの長さＬ２と同じ、または、長さＬ２よりも長めに設定される（Ｌ１≧Ｌ２）。例えば、第１挿通孔２３ａの長さＬ２が約３８ｍｍの場合、配線スリーブ本体１１の長さＬ１は３８ｍｍ以上に設定される。これにより、配線スリーブ本体１１から上方に延びる電気ケーブル４１が木製下地部材２３に接触しにくくなる。
なお、図１では、配線スリーブ本体１１の長さＬ１が、第１挿通孔２３ａのＬ２の長さの約２倍の場合を例示している。このように配線スリーブ本体１１の長さＬ２を、第１挿通孔２３ａの長さＬ２より長くすることは、木製下地部材２３の第１挿通孔２３ａが天井根太２２側に寄って形成された場合（配線スリーブ１０と天井根太２２との間隔が狭い場合）、電気ケーブル４１が天井根太２２にも接触しにくくなり、耐火性が確保されるようになっている。なお、この場合においては、配線スリーブ本体１１の長さＬ１は、天井根太２２の厚み以上（例えばＬ１＝８９ｍｍ）に設定することが望ましい。
【００２８】
このような耐火性を有する配線スリーブ本体１１は、例えば、石膏系材料、セメント系不燃材料などから形成されている。このように石膏系材料、セメント系不燃材料で形成された場合、配線スリーブ本体１１を容易かつ安価で構成することができる。
【００２９】
＜抜出防止部材＞
抜出防止部材１２（抜出防止手段）は、配線スリーブ１０が木製下地部材２３に挿着され、電気ケーブル４１と、後記する照明ベース３１（図５参照）上に設けられたソケットなどを含む電気回路とを電気的に接続した後、照明ベース３１を石膏ボード２４を挟んで木製下地部材２３に取り付けるため、電気ケーブル４１を図５（ａ）の上側に送り込んだ際に、電気ケーブル４１と配線スリーブ本体１１との摩擦力によって、配線スリーブ１０自体が木製下地部材２３から上側に抜け出すことを防止する部材である。
【００３０】
抜出防止部材１２は、図２に示すように、ベース紙１２ａと、ベース紙１２ａに固定され、平面視で波状を呈する波状紙１２ｂとを主に備えている。すなわち、抜出防止部材１２は、波状の芯紙の両面を板状紙で挟持してなる通常の段ボール紙から、片面側の板状紙を取り除いた形状を呈しており、「片段ボール」と称される場合もある。
そして、抜出防止部材１２は、ベース紙１２ａが配線スリーブ本体１１の周面に接着剤などで固定され、配線スリーブ本体１１と一体化しており、配線スリーブ本体１１の周面を被覆している。ただし、ベース紙１２ａと配線スリーブ本体１１とを一体化する方法は、接着剤で接着する方法の他、筒状に構成した抜出防止部材１２の中空部に、石膏系材料を流し込み、硬化させる方法であってもよい。この場合、電気ケーブル挿通孔１１ａに対応する部分に脱型可能な中子を配置する。
【００３１】
そして、波状紙１２ｂは、後記する電気ケーブル配線構造の構築方法で説明するように、配線スリーブ１０を木製下地部材２３の第１挿通孔２３ａに挿通したとき、配線スリーブ本体１１の径方向内側に変形するようになっている。このように波状紙１２ｂが変形することで、配線スリーブ１０を木製下地部材２３に挿着した後、電気ケーブル４１の送り込みなどによって、配線スリーブ１０が木製下地部材２３から抜け出すことが防止されるようになっている。
よって、後記する木製下地部材２３の第１挿通孔２３ａの内径φ３（図４参照）は、配線スリーブ本体１１の外径φ２よりも僅かに大きく、配線スリーブ１０を挿通したとき、抜出防止部材１２の波状紙１２ｂが径方向に変形する大きさに設定されている。
【００３２】
＜電気ケーブル配線構造の構築方法＞
次に、このような配線スリーブ１０を備えた電気ケーブル配線構造の構築方法について、図３および図４を主に参照して説明する。
【００３３】
まず、天井根太２２、木製下地部材２３などの配置について説明する。
図３に示すように、所定間隔で配置された床根太２１、２１に、枠木（図示しない）を介して、複数の天井根太２２…が所定に固定されている。複数の天井根太２２…は、所定間隔で配置されている。木製下地部材２３は、複数の天井根太２２…に固定されている。
【００３４】
木製下地部材２３は、後記する照明３０が取り付けられる部材であり、照明３０の取り付け位置に対応して、天井根太２２に固定されている。また、木製下地部材２３は、照明３０の自重に耐え得る強度を有している。
【００３５】
次いで、図３および図４（ａ）に示すように、木製下地部材２３の所定位置に第１挿通孔２３ａを形成する。第１挿通孔２３ａの内径φ３は、前記したように、配線スリーブ１０が挿通可能であって、かつ、波状紙１２ｂが径方向内側に変形する大きさに設定される。
そして、第１挿通孔２３ａに配線スリーブ１０を、波状紙１２ｂを径方向内側に変形させながら、所定位置まで挿入する（図４（ａ）、矢印Ａ１参照）。
【００３６】
次いで、図４（ｂ）に示すように、配線スリーブ１０の電気ケーブル挿通孔１１ａに電気ケーブル４１を通す（矢印Ａ２参照）。そして、石膏ボード２４の第２挿通孔２４ａに電気ケーブル４１を通した後、石膏ボード２４を天井根太２２、２４に取り付ける（矢印Ａ３参照）。
そうすると、天井根太２２（木製骨部材）に固定された木製下地部材２３の前記第１挿通孔２３ａに配線スリーブ１０（配線ガイド）が挿通され、かつ、配線スリーブ１０の電気ケーブル挿通孔１１ａに電気ケーブル４１が挿通された状態となり、電気ケーブル配線構造の構築方法が完了する（図４（ｂ）参照）。
【００３７】
＜電気ケーブル配線構造＞
このようにして構築された第１実施形態に係る電気ケーブル配線構造は、所定に配置された複数の天井根太２２と、天井根太２２に固定されると共に第１挿通孔２３ａを有する木製下地部材２３と、天井根太２２に固定されると共に第２挿通孔２４ａを有する石膏ボード２４と、第１挿通孔２３ａに挿通された配線スリーブ１０と、電気ケーブル挿通孔１１ａ（第１挿通孔２３ａ）および第２挿通孔２４ａに挿通された電気ケーブル４１とを主に備えている。
【００３８】
＜電気機器取付構造の構築方法＞
次に、電気ケーブル配線構造に、照明３０（電気機器）を取り付けてなる電気機器取付構造の構築方法について、図５を参照して説明する。
電気機器取付構造の構築方法は、電気ケーブル４１の下端（一端）側に照明３０（電気機器）を接続する第１工程と、照明３０を木製下地部材２３に固定する第２工程と、を含んでいる。
【００３９】
［第１工程］
図５（ａ）に示すように、電気ケーブル４１の下端側（一方側）に、照明ベース３１上に設けられたソケットなどを含む電気回路とを電気的に接続する。
【００４０】
［第２工程］
次いで、石膏ボード２４の第２挿通孔２４ａから下側に突出する電気ケーブル４１の周面に、耐火性を有するシール材４２を、所定量にて塗布する。そして、電気ケーブル４１を上方に送りながら、照明ベース３１をスクリュー３３などによって、石膏ボード２４を挟んだ状態で木製下地部材２３に取り付ける（矢印Ａ４参照）。
このとき、電気ケーブル４１は、配線スリーブ１０にステープルなどで固定されていないため、上方にスムーズに移動すると共に、配線スリーブ１０の電気ケーブル挿通孔１１ａによってガイドされる。また、電気ケーブル４１は、配線スリーブ１０に鉛直上方向きにガイドされるため、その途中位置で曲がったり、撓んだりせず、その結果、電気ケーブル４１が木製下地部材２３に近接することもない。さらに、シール材４２によって、電気ケーブル４１と第２挿通孔２４ａとの隙間はシーリングされる（図５（ｂ）参照）。
次いで、図５（ｂ）に示すように、照明ベース３１に照明カバー３２を取り付けることで、照明３０が組み付けられると共に、電気機器取付構造の構築方法は完了する。
【００４１】
＜電気機器取付構造＞
このようにして構築された第１実施形態に係る電気機器取付構造は、所定に配置された複数の天井根太２２…（木製骨部材）と、天井根太２２…に固定されると共に第１挿通孔２３ａを有する木製下地部材２３と、複数の天井根太２２…に固定されると共に第２挿通孔２４ａを有する石膏ボード２４（耐火面部材）と、石膏ボード２４を挟んで木製下地部材２３に固定された照明３０（電気機器）と、照明３０に下端側（一端側）が接続すると共に、上端側（他端側）が第２挿通孔２４ａおよび電気ケーブル挿通孔１１ａ（第１挿通孔２３ａ）を介して引き出され、可燃性材料で被覆された電気ケーブル４１と、電気ケーブル４１をガイドした配線スリーブ１０とを主に備えている。
【００４２】
このように、第１実施形態に係る配線スリーブ１０、およびこれを使用した電気ケーブル配線構造、電気機器取付構造、並びにこれらの構築方法によれば、電気ケーブル４１を背面側に送り込むとき、配線スリーブ１０によって、電気ケーブル４１はガイドされるため、作業性は向上する。また、このようにガイドされるため、電気ケーブル４１が途中で折れ曲がったりして、木製下地部材２３に近接することはない。すなわち、仮に、電気ケーブル４１を被覆する可燃性材料が燃焼したとしても、木製下地部材２３が着火することはない。その上、シール材４２によって、第２挿通孔２４ａと電気ケーブル４１との隙間は確実にシーリングされているため、第１実施形態に係る電気機器取付構造は非常に高い耐火性を有する（図５（ｂ）参照）。
さらに、照明３０の取付位置に対応して、天井根太２２に木製下地部材２３を固定することで、その取付位置は制約を受けず、自由に設定することができる。
【００４３】
≪第２実施形態≫
次に、第２実施形態に係る配線ガイド、および、これを備えた電気ケーブル配線構造、ブレーカ装置（電気機器）取付構造、並びにこれらの構築方法について、図６から図８を参照して説明する。参照する図面において、図６は、第２実施形態に係る配線ガイドの斜視図である。図７は、第２実施形態に係る配線ガイドを備えた電気ケーブル配線構造および電気機器取付構造を示す斜視図である。図８は、図７に示すＹ−Ｙ断面において、第２実施形態に係る配線ガイドが取り付けられた状態を示す図である。
なお、第２実施形形態では、配線ガイドおよびこれを備えた電気ケーブル配線構造等を、２×４構法で構築された木造建築物の１階の壁パネルに適用した場合を例示し、特許請求の範囲における「骨部材」は「たて材６１」に相当する。
【００４４】
＜配線ガイド＞
図６に示すように、第２実施形態に係る配線ガイド５０は、複数の電気ケーブル挿通孔５１ａ（図６では３つ）を備えたことを特徴とする。配線ガイド５０は、第１実施形態に係る配線スリーブ１０と同様に、配線ガイド本体５１と、抜出防止部材５２とを主に備えている。
【００４５】
［配線ガイド本体］
配線ガイド本体５１は、その高さ方向に複数の電気ケーブル挿通孔５１ａ…（図では３つ）を有している。複数の電気ケーブル挿通孔５１ａ…の数は、後記する複数のブレーカ７２（電気機器）の数（図７では３つ）に対応しており、各ブレーカ７２に接続する電気ケーブル８１（図８参照）を、個別にガイド可能となっている。
【００４６】
［抜出防止部材］
抜出防止部材５２は、第１実施形態に係る抜出防止部材１２（図２参照）と同様に、ベース紙と、波状紙とを主に備えており、配線ガイド本体５１の全側面を被覆している。そして、壁パネル６０の木製下地部材６２の第１挿通孔６２ａに挿通されたとき、前記波状紙が厚さ方向に変形し、配線ガイド５０が木製下地部材６２から抜け出さないようになっている（図８参照）。
【００４７】
＜電気ケーブル配線構造の構築方法＞
次に、このような配線ガイド５０を備えた電気ケーブル配線構造の構築方法について、図６に加えて、図７および図８を参照して説明する。
【００４８】
まず、壁パネル６０を構成するたて材６１…、木製下地部材６２などについて説明する。たて材６１…は、木造建築物の１階の床根太（図示しない）に所定間隔で固定されている。そして、木製下地部材６２は、ブレーカ装置７０の取付位置に対応して、たて材６１に固定されている。木製下地部材６２は、ブレーカ装置７０が取り付けられる部材であり、ブレーカ装置７０の自重に耐え得る強度を有している。
【００４９】
そして、木製下地部材６２の所定位置に第１挿通孔６２ａを形成する（図８参照）。第１挿通孔６２ａは、第１実施形態と同様に、配線ガイド５０が挿通可能であって、かつ、抜出防止部材５２の波状紙が変形する大きさに設定される。そして、第１挿通孔６２ａに配線ガイド５０を、波状紙を変形させながら、所定位置まで挿入する。
【００５０】
次いで、配線ガイド５０の各電気ケーブル挿通孔５１ａに電気ケーブル８１をそれぞれ通す。そして、正面側の石膏ボード６３の各第２挿通孔６３ａに電気ケーブル８１をそれぞれ通した後、石膏ボード６３をたて材６１、６１に取り付ける。
そうすると、たて材６１（木製骨部材）に固定された木製下地部材６２の第１挿通孔６２ａに配線ガイド５０が挿通され、かつ、配線ガイド５０の各電気ケーブル挿通孔５１ａに電気ケーブル８１が挿通された状態となり、電気ケーブル配線構造の構築方法は完了する。
【００５１】
＜電気ケーブル配線構造＞
このようにして構築された第２実施形態に係る電気ケーブル配線構造は、所定に配置された複数のたて材６１と、たて材６１に固定されると共に第１挿通孔６２ａを有する木製下地部材６２と、複数のたて材６１に固定されると共に第２挿通孔６３ａを有する石膏ボード６３と、第１挿通孔６２ａに挿通された配線ガイド５０と、各電気ケーブル挿通孔５１ａ（各第１挿通孔６２ａ）および各第２挿通孔６３ａに挿通された各電気ケーブル８１とを主に備えている。
【００５２】
＜電気機器取付構造の構築方法＞
次に、電気ケーブル配線構造に、ブレーカ装置７０（電気機器）を取り付けてなる電気機器取付構造の構築方法について、図７および図８を参照して説明する。
電気機器取付構造の構築方法は、各電気ケーブル８１の正面側（一端側）にブレーカ７２（電気機器）をそれぞれ接続する第１工程と、ブレーカ７２を木製下地部材６２に固定する第２工程と、を含んでいる。
【００５３】
［第１工程］
各電気ケーブル８１の正面側端と、ブレーカボックス７１に固定されたブレーカ７２とをそれぞれ電気的に接続する。
【００５４】
［第２工程］
次いで、正面側の石膏ボード６３の第２挿通孔６３ａから正面側に突出する電気ケーブル８１の周面に、耐火性を有するシール材８２を所定量にて塗布する。そして、各電気ケーブル８１を背面側に送りながら、ブレーカボックス７１を木製下地部材６２に取り付ける。
このとき、各電気ケーブル８１は、配線ガイド５０にステープルなどで固定されていないため、背面側にスムーズに移動すると共に、配線ガイド５０の各電気ケーブル挿通孔５１ａによってガイドされ、作業性が良好となる。
次いで、背面側の石膏ボード６４をたて材６１に取り付けることで、壁パネル６０が組み付けられると共に、電気機器取付構造の構築方法は完了する。
【００５５】
＜電気機器取付構造＞
このようにして構築された第２実施形態に係る電気機器取付構造は、所定に配置された複数のたて材６１…（木製骨部材）と、たて材６１…に固定されると共に第１挿通孔６２ａを有する木製下地部材６２と、複数のたて材６１…に固定されると共に第２挿通孔６３ａを有する正面側の石膏ボード６３（耐火面部材）と、石膏ボード６３を挟んで木製下地部材６２に固定されたブレーカ７２（電気機器）と、ブレーカ７２に正面側（一端側）が接続すると共に、背面側（他端側）が第２挿通孔６３ａおよび電気ケーブル挿通孔５１ａ（第１挿通孔６２ａ）を介して引き出され、可燃性材料で被覆された電気ケーブル８１と、各電気ケーブル８１をガイドする配線ガイド５０とを主に備えている。
【００５６】
このように、第２実施形態に係る配線ガイド５０、およびこれを使用した電気ケーブル配線構造、電気機器取付構造、並びにこれらの構築方法によれば、各電気ケーブル８１を背面側に送り込むとき、配線ガイド５０によって、各電気ケーブル８１はガイドされるため、作業性は向上する。また、このようにガイドされるため、各電気ケーブル８１が途中で曲がったりして、木製下地部材６２に近接することはない。すなわち、仮に、各電気ケーブル８１を被覆する可燃性材料が燃焼したとしても、木製下地部材６２が燃焼することはない。
さらに、ブレーカ装置７０の取付位置に対応して、たて材６１に木製下地部材６２を固定することで、その取付位置は制約を受けず、自由に設定することができる。
【００５７】
≪第３実施形態≫
次に、第３実施形態に係る配線ガイドおよび電気ケーブル配線構造について、図９および図１０を参照して説明する。参照する図面において、図９は、第３実施形態に係る配線ガイドの斜視図である。図１０は、第３実施形態に係る配線ガイドを備えた電気ケーブル配線構造および電気機器取付構造を示す側断面図である。
【００５８】
＜配線ガイド＞
図９に示すように、第３実施形態に係る配線ガイド９０（配線ガイド本体）は、第２実施形態に係る配線ガイド５０と同様に、その外形が直方体であり、その高さ方向に、複数の電気ケーブル挿通孔９０ａ（図９では８つ）を有している。なお、配線ガイド９０は、第１実施形態に係る抜出防止部材１２（図１参照）を備えていない。
【００５９】
＜電気ケーブル配線構造＞
次に、図１０を参照して、配線ガイド９０を備えた電気ケーブル配線構造について説明する。
第１実施形態と同様に（図３参照）、所定間隔で配置された複数の床根太２１に、枠木（図示しない）を介して、複数の天井根太２２（木製骨部材）が所定に配置されている。屋外側（図１０の左側）の床根太２１、２１は、木造建築物の１階の壁パネル６０の上枠６５、６５の上に固定されている。そして、屋外側の天井根太２２、２２の間に、配線ガイド９０が挿入されており、配線ガイド９０は、屋外側の天井根太２２、２２に挟まれた状態で、適宜な固定手段・方法（例えばボルト、バンド、接着剤など）で固定されている。
【００６０】
１階の天井用の石膏ボード２５（耐火面部材）は、複数の天井根太２２に固定されている。石膏ボード２５は、配線ガイド９０の電気ケーブル挿通孔９０ａに対応して、図１０の紙面に対して垂直方向に、複数の第Ａ挿通孔２５ａ…を有しており、対応する各電気ケーブル挿通孔９０ａと各第Ａ挿通孔２５ａとは、連通している。
そして、複数の電気ケーブル８１…が、連通した電気ケーブル挿通孔９０ａおよび第Ａ挿通孔２５ａに、それぞれ挿通されている。
【００６１】
このようにして、第３実施形態に係る電気ケーブル配線構造は、所定に配置された複数の天井根太２２、２２と、天井根太２２…に固定されると共に複数の第Ａ挿通孔２５ａ…を有する石膏ボード２５と、天井根太２２…に固定された配線ガイド９０と、電気ケーブル挿通孔９０ａおよび第Ａ挿通孔２５ａに挿通され、可燃性材料で被覆された電気ケーブル８１とを主に備えている。すなわち、電気ケーブル８１は、天井の石膏ボード２５から垂れ下がっている。
【００６２】
＜電気機器取付構造の構築方法＞
次に、電気ケーブル配線構造に、ブレーカ装置７０（電気機器）を取り付けてなる電気機器取付構造の構築方法について、図１０を参照して説明する。
垂れ下がった複数の電気ケーブル８１の下端に、ブレーカボックス７１に固定されたブレーカ７２（電気機器）をそれぞれ電気的に接続する。次いで、ブレーカボックス７１を木製下地部材６２に取り付ける。
【００６３】
このとき、各電気ケーブル８１の下端にブレーカ７２を取り付ける際に電気ケーブル８１を下方側に引き出した場合、ブレーカボックス７１を木製下地部材６２に取り付ける際に、電気ケーブル８１を天井側に送り込んだ場合、各電気ケーブル８１はステープルなどで固定されていないため、スムーズに移動する。また、各電気ケーブル８１は、配線ガイド９０によって鉛直方向にガイドされているため、各電気ケーブル８１が途中で曲がったりして、天井根太２２に近接することはない。
その後、屋内側の電気ケーブル８１を、ケーブルカバー８３で覆い、電気機器取付構造の構築方法は完了する。
【００６４】
以上、本発明の好適な実施形態について一例を説明したが、本発明は前記各実施形態に限定されず、本発明の趣旨を逸脱しない範囲で、例えば以下のような変更が可能である。
【００６５】
前記した第１実施形態では、木製下地部材２３の第１挿通孔２３ａに配線スリーブ１０を挿通し、電気ケーブル４１を電気ケーブル挿通孔１１ａに挿通し、石膏ボード２４を天井根太２２に固定することによって、天井根太２２（木製骨部材）に固定された木製下地部材２３の第１挿通孔２３ａに配線スリーブ１０（配線ガイド）が挿通され、かつ、配線スリーブ１０の電気ケーブル挿通孔１１ａに電気ケーブル４１が挿通された状態になるとしたが、このような状態となれば、その手順はどのようであってもよい。すなわち、例えば、配線スリーブ１０の電気ケーブル挿通孔１１ａに、電気ケーブル４１を挿通した後、電気ケーブル４１を挿通したまま、配線スリーブ１０を木製下地部材２３の第１挿通孔２３ａに挿通する手順であってもよい。
【００６６】
前記した第１実施形態では、特許請求の範囲における電気機器が照明３０である場合、前記した第２実施形態ではブレーカ７２である場合について説明したが、電気機器の種類はこれに限定されず、その他に例えば、天井扇（シーリングファン）などであってもよい。
【００６７】
前記した第１実施形態では、特許請求の範囲における抜出防止手段が、ベース紙１２ａと波状紙１２ｂとを備える抜出防止部材１２である場合について説明したが、抜出防止手段の具体的態様はこれに限定されず、その他に例えば、ゴム系材料から形成され、所定の弾性を有する円筒体であってもよい。
【００６８】
前記した第１実施形態では、２×４構法で構築された木造建築物に本発明を適用した場合について説明したが、木造建築物の構築構法はこれに限定されず、例えば、在来軸組み構法、木質パネル構法などであってもよい。すなわち、例えば、本発明に係る配線スリーブ等を在来軸組み構法で構築された木造建築物の天井に適用した場合、特許請求の範囲における「骨部材」は「野縁」に相当することになる。
【００６９】
前記した第１実施形態では、配線スリーブ本体１１全体が、例えば石膏系材料などで形成されることにより、配線スリーブ本体１１が耐火性を有するとしたが、その他に例えば、電気ケーブル挿通孔１１ａを取り囲む内周面が難燃性の材料で被覆された場合であってもよい。
【図面の簡単な説明】
【００７０】
【図１】第１実施形態に係る配線スリーブの斜視図である。
【図２】第１実施形態に係る配線スリーブの平面図である。
【図３】第１実施形態に係る配線スリーブが取り付けられる天井構造を部分的に示す斜視図である。
【図４】図３に示すＸ−Ｘ断面において、第１実施形態に係る電気ケーブル配線構造の構築方法を段階的に説明する図である。
【図５】図３に示すＸ−Ｘ断面において、第１実施形態に係る電気機器取付構造の構築方法を段階的に説明する図であり、（ａ）は第１段階（第１工程）、（ｂ）は第２段階（第１工程）を示す。
【図６】第２実施形態に係る配線ガイドの斜視図である。
【図７】第２実施形態に係る配線ガイドを備えた電気ケーブル配線構造および電気機器取付構造を示す斜視図である。
【図８】図７に示すＹ−Ｙ断面において、第２実施形態に係る配線ガイドが取り付けられた状態を示す図である。
【図９】第３実施形態に係る配線ガイドの斜視図である。
【図１０】第３実施形態に係る配線ガイドを備えた電気ケーブル配線構造および電気機器取付構造を示す側断面図である。
【符号の説明】
【００７１】
１０    配線スリーブ（配線ガイド）
１１    配線スリーブ本体（配線ガイド本体）
１１ａ、５１ａ、９０ａ  電気ケーブル挿通孔
１２、５２  抜出防止部材（抜出防止手段）
１２ａ  ベース紙
１２ｂ  波状紙
２２    天井根太（骨部材）
２３、６２  木製下地部材
２３ａ  第１挿通孔
２４、２５、６３  石膏ボード（耐火面部材）
２４ａ  第２挿通孔
２５ａ  第Ａ挿通孔
３０    照明（電気機器）
３１    照明ベース
４１、８１  電気ケーブル
５０    配線ガイド
５１    配線ガイド本体
６１    たて材（骨部材）
７２    ブレーカ（電気機器）
９０    配線ガイド（配線ガイド本体）
【図１】
2006217737.tif 000003
【図２】
2006217737.tif 000004
【図３】
2006217737.tif 000005
【図４】
2006217737.tif 000006
【図５】
2006217737.tif 000007
【図６】
2006217737.tif 000008
【図７】
2006217737.tif 000009
【図８】
2006217737.tif 000010
【図９】
2006217737.tif 000011
【図１０】
2006217737.tif 000012